(57)【要約】【課題】手動操作時の衛生が確保できて少し位の段差であれば乗り越えることができ、かつ安定性が大で転回操作が極めて容易な中央輪車椅子を提供することを目的とする。【解決手段】座シート２が設けられた本体フレーム１と、この本体フレーム１の前記座シート２の略中央重心方向下部に配設された一対の主輪４と、前記本体フレーム１の側部に配設された前記一対の主輪４を駆動する操作部材６と、前記本体フレーム１の前部に設けた複数輪キャスター１１とを具備し、前記一対の主輪４の各々を前記操作部材６で前後独立して回転駆動できるように構成したものである。また、本体フレーム１の後部に補助輪１２を前記一対の主輪４の接地面よりも上方に配設した構成としたものである。【選択図】図１
2012143519.tif 000002
【特許請求の範囲】
【請求項１】
座シートが設けられた本体フレームと、この本体フレームの前記座シートの略中央重心方向下部に配設された一対の主輪と、前記本体フレームの側部に配設された前記一対の主輪を駆動する操作部材と、前記本体フレームの前部に設けた複数輪キャスターとを具備し、前記一対の主輪の各々を前記操作部材で前後独立して回転駆動できるようにしたことを特徴とする中央輪車椅子。
【請求項２】
上記本体フレームの後部に補助輪を前記一対の主輪の接地面よりも上方に配設したことを特徴とする請求項１記載の中央輪車椅子。
【請求項３】
上記本体フレームの前部に設けた複数輪キャスターを、４輪キャスターとしたことを特徴とする請求項１記載の中央輪車椅子。
【請求項４】
上記座シートの略中央重心方向下部に配設された一対の主輪に対して、上記一対の主輪を駆動する操作部材を本体フレームの側部に配設することにより、前記一対の主輪から前記操作部材を離隔したことを特徴とする請求項１記載の中央輪車椅子。
【発明の詳細な説明】
【技術分野】
【０００１】  本発明は、歩行障害者や足腰の弱い高齢者が移動に際して着座したまま活用することができる中央輪車椅子に関するものである。
【背景技術】
【０００２】  近年、歩行障害者や足腰の弱い高齢者のための歩行補助器具として車椅子、一輪歩行車等の歩行車、歩行補助杖、松葉杖等が多く使用されている。特に車椅子や一輪歩行車等の歩行車は、シートに座して介助者が操作したり自身の手足で走行操作するため容易に走行移動することが可能となる。このようなことから本発明者は先に一輪車を用いた一輪歩行車を提案した。この技術は、上部に背板と係止片が配設された支柱と、この支柱下部に配設され一輪車が回転可能に保持されたタイヤ保持フレームと、前記支柱に上下摺動可能に、かつ前記一輪車の軸心と重心がほぼ一致する位置に配設されたシートと、前記タイヤ保持フレームの一端が固定され前後にキャスターが取り付けられた平面Ｕ字形状のフットフレームと、このフットフレームの一端で回転可能に支持され、他端が前記支柱上部に配設された係止片と係脱するＵ字形状のサイドフレームと、中間部を前記サイドフレームに回転可能に支承すると共に下端を前記フットフレームに着脱可能に固定するようにした上端に把手が設けられた把手フレームを配設してなる把手支持フレームとより構成されている。したがって、車椅子のごとく走行移動と一輪車を中心とした回転機能で走行操作性を良好にしている（例えば、特許文献１参照）。
【特許文献１】  特開２００９−５０６１３号  公報
【発明の開示】
【発明が解決しようとする課題】
【０００３】  しかしながら上記従来の構成では、歩行補助装置としての構成であるため当然ながら足を使っての移動をすることに重点がおかれて、足が使えない場合は車椅子を使用することになる。一般的に車椅子の構成としては座シートの両側部に手操作による駆動輪が配置され、前方に補助輪が設けられている。そのため、駆動輪の駆動に際しては駆動輪のタイヤによって手や袖が汚れて不衛生となり、転回時には座シートの両側部に駆動輪が配置されているのでよほどの習熟能力がなければ回転半径が広くなる場合が多く、通路やスペースの確保が大きな課題となっていた。その点、前者の歩行補助装置では一輪車が用いられているため転回が容易となるが、安定性を確保するため補助輪も一平面にて接地している必要がある。そのため少しの段差でも乗り越えることができないといった課題がある。また、車椅子として一輪車が座シートの略中央下部に用いられている構成の開示はない。【０００４】  本発明は上記従来の課題を解決するもので、手動操作時の衛生が確保できて少し位の段差であれば乗り越えることができ、かつ安定性が大で転回操作が極めて容易な中央輪車椅子を提供することを目的とする。
【課題を解決するための手段】
【０００５】  上記課題を解決するために本発明の中央輪車椅子は、座シートが設けられた本体フレームと、この本体フレームの前記座シートの略中央重心方向下部に配設された一対の主輪と、前記本体フレームの側部に配設された前記一対の主輪を駆動する操作部材と、前記本体フレームの前部に設けた複数輪キャスターとを具備し、前記一対の主輪の各々を前記操作部材で前後独立して回転駆動できるようにした構成としたものである。したがって、車椅子のごとく安定した走行移動と中央輪を中心とした転回機能で走行操作が極めて良好となり、かつ、一対の主輪に駆動する力が集中する大きな駆動力を得られる作用を有する。【０００６】  また本発明の第２の中央輪車椅子は、本体フレームの後部に補助輪を一対の主輪の接地面よりも上方に配設した構成としたものである。したがって、段差を乗り越える際に前方が上になって車椅子が後方に傾斜しても、後部に配設された補助輪が接地するため一定以上の傾斜が防止できて安全性が確保できる。また、このため主輪は段差を乗り越え易くなるという作用を有する。【０００７】  また本発明の第３の中央輪車椅子は、本体フレームの前部に設けた複数輪キャスターを、４輪キャスターとした構成としたものである。したがって、段差に突き当たると手動操作による少しの推力で４輪キャスターが回転するため段差を乗り越えることができるという作用を有する。そして、左右の４輪キャスターが段差を乗り越えた後は、本体フレームの座シートの略中央重心方向下部に設置した位置幅の狭い一対の主輪が段差を乗り越えることができる作用を有する。【０００８】  また本発明の第４の中央輪車椅子は、座シートの略中央重心方向下部に配設された一対の主輪に対して、この一対の主輪を駆動する操作部材を本体フレームの側部に配設することにより、前記一対の主輪から前記操作部材を離隔した構成としたものである。したがって、手動操作時に手が一対の主輪と接触することによる不衛生を防止もしくは解消することができるという作用を有する。
【発明の効果】
【０００９】  本発明の中央輪車椅子は上記構成を備えたことにより、座シートの略中央重心方向下部に配設した一対の主輪の各々を手動の操作部材で前後独立して回転駆動できるようにしているため、車椅子のごとく安定した走行移動ができると共に、中央輪を中心とした転回構成であるため転回操作が極めて容易となり、転回のためのスペース確保が不要となるという作用効果が得られる。また、一対の主輪の位置幅が狭いために転回操作は一方の手動の操作部材のみを操作するだけで転回できることになるし、片手のみの操作でも転回が可能となるという作用効果が得られる。また、本体フレームの後部に補助輪を一対の主輪の接地面よりも上方に配設しているため、段差を乗り越える際に前方が上になって車椅子が後方に傾斜した場合には、補助輪が接地するため一定以上の傾斜が防止できて安全性が確保でき、さらに、一対の主輪が段差に乗り上げるためさらに段差を乗り越え易くなるといったような作用効果が得られる。また、本体フレームの前部に４輪キャスターを設けているため、手動操作によって一対の主輪に駆動力が集中して少しの推力で４輪キャスターが回転するため少しの段差であれば乗り越えることができる。また、本体フレーム側部に操作部材を配置し、一対の主輪を座シート中央部に配置することで一対の主輪から操作部材を離隔することで手動操作時に手が一対の主輪と接触することによる不衛生を防止もしくは解消することができるといったような多くの作用効果が得られる。
【発明を実施するための最良の形態】
【００１０】  以下本発明の一実施の形態について、図面を参照しながら説明する。図１は本発明の中央輪車椅子の斜視図を、図２は正面図を、図３は側面図を示す。なお、同一構成要素には同一符号が付してある。図において、１は金属製のパイプよりなり椅子の形状に形成されている本体フレームで中央部に着座できる座シート２とその後方部に背もたれ用の背板３が設けられている。そして座シート２の略中央重心方向下部に一対の主輪４が配設されている。したがって、一対の主輪４の略中心上部に着座者の重心が位置するため、非常に安定した走行構成が得られることになる。この一対の主輪４の回転軸は、図２にても解るように、本体フレーム１に設けられた支持板５で各独立に支持されている。６は本体フレーム１の両側部に設けられた手動の操作輪で、操作軸７が上記した支持板５の上部に回転可能に支持されている。この操作軸７の回転力は上記主輪４との回転軸間で操作軸ギヤ８と回転軸ギヤ９間のチェーン１０（図３参照）にて伝達されているが、これに限らずベルト駆動或いはギヤ駆動にて伝達されるように構成すればよい。また、手動の操作輪６もこれに限ることなくラッチギヤ等で駆動するバー状の操作部材を用いることも可能である。上記した本願発明の中央輪車椅子は、上記した説明からも理解できるように座シート２の略中央重心方向下部に配設された一対の主輪４に対して、この一対の主輪４を駆動する操作輪６を本体フレーム１の両側部に配設することにより、一対の主輪４から操作輪６を離隔した構成としている。したがって、操作輪６を操作するときには一対の主輪４から遠く離れているため、操作輪６の手動操作時に手や袖が一対の主輪と接触することによって汚れる不衛生を防止もしくは解消することができる構成となっている。【００１１】  上記した一対の主輪４の回転軸と操作輪６の操作軸７は、各々独立して正転および逆転可能に支持板５に支持されている。したがって前進及び後進する場合は、本体フレーム１の両側部に設けられた手動の操作輪６を同時に回転させればよく、左側の操作輪６を多く正回転させれば左側の主輪４が多く正回転するため右方向に回転することになる。左方向にはこの逆の操作をすればよい。また、右の主輪４を停止したまま左側の操作輪６を正回転すれば、右の主輪４を定点としてその場で右方向に正転回する。逆であれば左方向に転回することになる。一対の主輪４の間隔は極めて狭いため、ほぼその場にての転回となるため転回あるいは旋回のためのスペース確保が不要となるし、片手のみの操作でも転回が可能となる。この操作は逆転の場合でも同様のこととなる。このような作用は一輪車ではなし得ないものであり、本願発明特有の作用である。【００１２】  つぎに、上記した本体フレーム１の前方には一対の４輪キャスター１１が一対の主輪４と水平接地するように設けられている。したがって一対の主輪４と４輪キャスター１１とで水平が保たれて車椅子走行ができるようになっている。本体フレーム１の前方に設けた一対の４輪キャスター１１は、少しの段差であれば乗り越えられるように設けたものであり、一般的には３輪キャスターがよく知られているが多輪キャスターも開示されている。本発明では上記した中央輪車椅子の構成に加えて４輪キャスターとしたものであり、主輪の直径が５０ｃｍ程度で、直径が約１１ｃｍのキャスター車輪を４個使用し、一辺の高さを２８ｃｍ程度とした場合に手動の操作輪６の両手による回転推力が８ｋｇ程度であれば１０ｃｍ程度の段差であれば乗り越えられることが実証されている。【００１３】  また本発明の中央輪車椅子は、本体フレーム１の後部に一対の補助輪１２が主輪４の接地面よりも上方になるよう設けられている。平地における通常走行の場合は使用しないが段差を乗り越える際に前方が上になって車椅子が後方に傾斜したときに、この補助輪１２が接地して一定以上の傾斜を防止し、転倒することが防止できて安全性を確保でき、さらに、−対の主輪４が段差に乗り上げるように構成してある。図示では一対の補助輪１２が設けてあるが、本体フレーム１の後部の略中央部に一つの補助輪を配設しても上記とほぼ同様の作用が得られる。【００１４】  なお、上記した本発明の中央輪車椅子において、通常の車椅子において配設されている足を乗せる折り畳み式のステップは省略してある。本来であれば４輪キャスター１１の両内側に折り畳み式のステップが設けられ、また、本体フレーム１の背板３部の上端左右部に車椅子を押す把手が設けられる。また、本体フレーム１に肘置きを設けることも可能である。
【産業上の利用可能性】
【００１５】  本発明の中央輪車椅子は、歩行障害者や足腰の弱い高齢者が移動に際して着座したまま活用することができる車椅子として有用である。
【図面の簡単な説明】
【００１６】
【図１】本発明の中央輪車椅子の斜視図
【図２】本発明の中央輪車椅子の正面図
【図３】本発明の中央輪車椅子の側面図
【符号の説明】
【００１７】  １  本体フレーム
２  座シート
３  背板
４  主輪
５  支持板
６  操作輪
７  操作軸
８  操作軸ギヤ
９  回転軸ギヤ
１０  チェーン
１１  ４輪キャスター
１２  補助輪
【図１】
2012143519.tif 000003
【図２】
2012143519.tif 000004
【図３】
2012143519.tif 000005